(57)【要約】【課題】柔軟なシート材によって形成する魚釣用バケツにおいて、保形性に優れ水を入れて自立させておくことができるものを実現する。【解決手段】柔軟なシート材によって帽状に形成するバケツ本体１の開口端1a部分に、棒状で剛性を有する保形杆２の基端部分を固定する。この保形杆２は、バケツ本体１開口端部分の固定部において折り返し自在とし、先端部分に面ファスナー６などの係止手段を備えることによって、バケツ本体１の内部に折り返した状態で、バケツ本体の内側面下端部に着脱自在とする。保形杆２はバケツ本体の骨組みとして機能し保形性を実現するとともに、保形杆２を上方に折り返した状態では、バケツ本体１を押し縮め、嵩張らない状態で携行することができる。【選択図】  図１
2007202439.tif 000002
【特許請求の範囲】
【請求項１】
柔軟なシート材によって帽状に形成するバケツ本体の、開口端部分の複数位置に、棒状で剛性を有する保形杆の基端部分を固定し、該保形杆はバケツ本体開口端部分の固定部において折り返し自在とするとともに、保形杆の先端部分をバケツ本体の内側面下端部に着脱自在としたことを特徴とする魚釣用バケツ。
【請求項２】
保形杆は合成樹脂製の平板とし、柔軟な合成樹脂製シート材によって密封し、該柔軟な合成樹脂製シート材を保形杆の基端方向へ延長し、該延長部を保形杆の折り返し部分としてその先端部分をバケツ本体に固定するとともに、保形杆の先端部分とバケツ本体の内側面下端部とを面ファスナーによって着脱自在としたことを特徴とする請求項１記載の魚釣用バケツ。
【請求項３】
バケツ本体、平板を密封する合成樹脂製シート材を熱可塑性材料によって形成するとともに、熱可塑性材料によって形成した吊り下げ支持部材を付加し、前記バケツ本体及び保形杆を密封する合成樹脂製シート材とともに溶着したことを特徴とする請求項２記載の魚釣用バケツ。
【発明の詳細な説明】
【技術分野】
【０００１】
この発明は、魚釣に携行して水を汲み上げるために利用する他、釣魚を泳がせておく為などに利用する魚釣用バケツに関する発明である。
【背景技術】
【０００２】
魚釣では、釣り場において水を汲み上げて利用する他、釣魚を泳がせておく為にバケツが利用されている。このような魚釣用バケツとして、嵩張らないために柔軟な塩化ビニール製シート材で製したバケツなどが知られている。また、バケツの保形性を保つために、開口縁部分に金属製フレームを設けるものがある。特許文献１には、防錆の為に金属製フレームの表面に、合成樹脂コーティングを施す思想が記載されている。また、保形性を高めるために、特許文献２には表裏二枚のシート材の間に板状のフレーム部材を配置する思想が開示されている。
【特許文献１】特開２００５―２５３３７０号公報
【特許文献２】特開２００２―１８６３９４号公報
【発明の開示】
【発明が解決しようとする課題】
【０００３】
従来の、単に柔軟なシート材によって帽状のバケツを形成するものでは、保形性がないため水を入れて自立させておくことができない。特許文献１に開示される、開口縁に金属フレームを設けるものでも、断面形状を保つことはできても、水を入れた状態で置いた場合に高さ方向に変形し易く、自立させておくことが困難である。特許文献２に開示されるように、バケツ本体全体にフレーム部材を設けるものでは、安定性に優れ、水を入れたバケツを自立させておくことはできるが、釣行に携行する場合に嵩張ってしまう欠点があった。
【０００４】
本発明は、上記従来技術の欠点に鑑み、小さく縮めて嵩張らない状態で携行することができるとともに、水を入れた使用時において保形性に優れ、例えば釣り場に自立させて置いておくことができ、釣魚を泳がせておくほか、水を使用する広汎な目的に利用することができる簡便な魚釣用バケツを提供することを目的とするものである。
【課題を解決するための手段】
【０００５】
上記課題を解決するために、本発明は、柔軟なシート材によって帽状に形成するバケツ本体１の、開口端1a部分の複数位置に、棒状で剛性を有する保形杆２の基端部分を固定する。保形杆２はバケツ本体１の開口端1a部分の固定部において折り返し自在とするとともに、保形杆２の先端部分をバケツ本体１の内側面下端部に着脱自在とする。
保形杆２をバケツ本体１の内側に折り返した状態で、保形杆２の先端部分をバケツ本体１の内側面下端部に固定することによって、柔軟なシート材で構成されるバケツ本体１は、保形性を確保して自立させることができる。また、保持杆２をバケツ本体１の内側面下端部に固定することなく、バケツ本体１の外に折り返すことによって、バケツ本体１を短く押し縮めることが可能となる。
【０００６】
保形杆２は合成樹脂製の平板2aとし、柔軟な合成樹脂製シート材３，４によって密封する。平板2aを密封する柔軟な合成樹脂製シート材は、保持杆２の基端方向に延長し、この延長部分を保形杆２の折り返し部分５とする。そして、前記合成樹脂製シート材の延長部の基端部分をバケツ本体１に固定して、折り返し自在の保形杆２を実現するとともに、保形杆２の先端部分とバケツ本体の内側面下端部とを面ファスナー６によって着脱自在とする。このとき、バケツ本体１、平板2aを密封する合成樹脂製シート材３，４を熱可塑性材料によって形成するとともに、熱可塑性材料によって形成した吊り下げ支持部材７を付加し、バケツ本体１及び平板2aを密封する合成樹脂製シート材３，４とともに溶着することができる。
【発明の効果】
【０００７】
請求項１記載の魚釣り用バケツによれば、保形杆２をバケツ本体１の内側に折り返し、保形杆２の先端部分をバケツ本体１の内側面下端部に固定することによって柔軟なバケツ本体１を帽状に保持し、水を入れた状態で自立させることができる。バケツ本体１の内側面下端部におけるバケツ本体１と保形杆２の固定を解除し、保形杆２を上方に折り返すことによって、バケツ本体１を小さく押し縮め、嵩張らない状態で携行することができる。
また、バケツ本体１は、バケツ形状を保持するため、例えばロープを繋いで高い所から水を汲み上げるような場合に、従来の柔軟なバケツのように汲みにくいといった欠点がなく、容易に汲み上げることができる効果がある。
【０００８】
請求項２記載の発明によれば、請求項１記載の発明を、比較的簡単な構造で実施することができる。さらに、請求項３記載の発明によれば、バケツ本体１と保形杆２と吊り下げ支持部材７の三つを一体的に強固に固定することができるとともに、これら三つの部材を一体的に溶着することによって、該部分の強度を向上させ、安心して使用することができる魚釣用バケツを実現することができる。
【発明を実施するための最良の形態】
【０００９】
以下、本発明に係る魚釣り用バケツの実施形態を添付の図面に基づいて説明する。図１は、本発明に係る魚釣用バケツ全体の縦断面図、図２は、バケツ本体と保形杆の固定部分の拡大断面図、図３は、バケツ本体と保形杆の固定部分のみの側面図、図４は、魚釣用バケツを押し縮めた状態の正面図、図５は、保形杆を半断面して示す正面図である。
【００１０】
本発明に係る魚釣用バケツのバケツ本体１は、塩化ビニール樹脂シート、その他の柔軟な合成樹脂製シート材によってバケツ形状、すなわち帽状に形成する。バケツ本体１の平面形状は、円形、楕円形あるいは方形とすることができる。なお、柔軟な合成樹脂製のシート材によって水を入れるための容器、具体的にはバケツを形成することは一般的に行われていることである。
【００１１】
バケツ本体１開口部分の複数位置、例えば円形断面のバケツ本体では、対向する二箇所あるいは等間隔の３ないし４箇所に、方形断面のバケツ本体では対向位置の二箇所又は四箇所に、バケツ形状を維持するための保形杆２を設ける。
保形杆２は、棒状であって剛性を有するものとし、その長さは、バケツ本体１の高さに近いものとし、基端部分をバケツ本体１の開口端部分に固定し、かつ固定部分において折り返し自在とする。図示例の場合、一定の厚みを備えた合成樹脂製の平板2aの表裏両側から合成樹脂製シート材３，４で挟み込み、周縁を囲繞する如く溶着2bすることによって密封している。
【００１２】
合成樹脂製シート材３，４によって密封された保形杆２は、その基端部分において重ね合わせたシート材のみを延長させ、折り返し部分５とバケツ本体１に固定するための溶着部分８を形成している。すなわち、溶着部分８をバケツ本体１の外表面に溶着し、折り返し部分５をバケツ本体１の開口端1aを巻回させることによって折り返し自在としている。このように、折り返し自在とした保形杆２の先端部分には、バケツ本体１内に折り返したときにバケツ本体１の内面と対向する位置に、雄雌いずれか一方の面ファスナー、例えば雄ファスナー6aを固着しておくとともに、この雄ファスナーが対向するバケツ本体１の内側面に、雌ファスナー6bを固着している。
なお、シート材の折り返しによって形成するバケツ本体１の開口端には、バケツ本体１の開口端の平面形状を維持するために、鋼線などの金属製の保形リング11を縫い込んでいる。
【００１３】
上記構成とし、保形杆２をバケツ本体１の内側に折り返して面ファスナー６で固定することによって、保形杆２が骨組みとして機能し、バケツ本体１のバケツ形状を維持し、バケツ本体１そのものを柔軟なシート材によって形成するものでありながら安定して自立させることができる。バケツ本体１の底面1bには、バケツ本体１を安定良く載置することができるように、剛性を有する脚片９，９が固定してある。
面ファスナー６による固定状態を解除し、保形杆２を上方に折り返した状態では、バケツ本体１は保形性に乏しくなり、図４に示すようにコンパクトに押し縮めることができ、押し縮めた状態では嵩張らないため、釣行に携行するのに便利である。
【００１４】
魚釣用バケツは、紐を付けて高い位置から低い水面の水を汲み上げる場合がある。そのため、図示例の魚釣用バケツでは、バケツ本体１の開口端1a部分に、吊り下げ支持部材７，７を設けるとともに、水面においてバケツ本体１を傾け易いように重り10を取り付けている。すなわち、柔軟な素材によるバケツでありながら、バケツ本体１がその形状を保持するため、重り10によってバケツ本体１を傾け、その内部に容易に水を汲むことができるものである。
なお、上記吊り下げ支持部材７の固定構造と保形杆２の固定構造を兼用することによって製作工程を減じるとともに、構造的により強固なものとなる実益を有する。
【００１５】
すなわち、吊り下げ支持部材７を熱可塑性材料によって形成し、吊り下げ支持部材７、バケツ本体１及び保形杆２の溶着部分８を重ね合わせ、該重ね合わせた部分を溶着することによって一体化する。図面では、各部材を層状に表現しているが、上記三者が溶融して一体となった状態に溶着することができる。図３における、吊り下げ支持部材７の縦線を施した範囲が溶着領域12である。
【００１６】
図示実施形態のように、溶着領域12において、吊り下げ支持部材７とバケツ本体１及び保形杆２を溶着によって一体化した場合、該部分が全体として肉圧で大きな強度を有する部分となり、保形性の向上と強度の向上の点でより効果的で、製造工程も簡略化することができる。
【００１７】
本発明において、保形杆２は骨組みとして機能する剛性を有するものであって、かつバケツ本体１に固定する基端部分において、ジョイント構造など折り返し可能な構造であれば、保形杆２の断面形状及び材質は任意に選択することができるものである。
【図面の簡単な説明】
【００１８】
【図１】図１は、本発明に係る魚釣用バケツ全体の縦断面図、
【図２】図２は、バケツ本体と保形杆の固定部分の拡大断面図、
【図３】図３は、バケツ本体と保形杆の固定部分のみの側面図、
【図４】図４は、魚釣用バケツを押し縮めた状態の正面図、
【図５】図５は、保形杆を半断面して示す正面図である。
【符号の説明】
【００１９】
１…バケツ本体、  1a…開口端、  1b…底面、  ２…保形枠、  2a…平板、  2b…溶着、  ３，４…合成樹脂製シート材、  ５…折り返し部分、  ６…面ファスナー、  6a…雄ファスナー、  6b…雌ファスナー、  ７…吊り下げ支持部材、  ８…溶着部分、  ９…脚片、  10…重り、  11…保形リング、  12…溶着領域。
【図１】
2007202439.tif 000003
【図２】
2007202439.tif 000004
【図３】
2007202439.tif 000005
【図４】
2007202439.tif 000006
【図５】
2007202439.tif 000007